(57)【要約】【課題】収容効率を高めることができるとともに、密閉性が高く、かつ積み重ねて保管することが容易なフレキシブルコンテナバッグを提供すること。【解決手段】隣接する側面部６が直角を成す有底角型に形成し、上面が開口した収納容器本体２と、該収納容器本体２に被せることで開口を塞ぐ被せ形状の蓋体３とからなるものとし、必要に応じて、蓋体３を収納容器本体２に固定するための固定手段１５を設けるとともに、収納容器本体２及び蓋体３を合成繊維織布で構成し、内部に合成樹脂製の内袋２ｂを設ける。【選択図】図１
2019196203.tif 000002
【特許請求の範囲】
【請求項１】
隣接する側面部が直角を成す有底角型に形成し、上面が開口した収納容器本体と、該収納容器本体に被せることで開口を塞ぐ被せ形状の蓋体とからなることを特徴とするフレキシブルコンテナバッグ。
【請求項２】
前記蓋体を収納容器本体に固定するための固定手段を設けるようにしたことを特徴とする請求項１に記載のフレキシブルコンテナバッグ。
【請求項３】
前記収納容器本体及び蓋体が、織布からなり、内部に合成樹脂製の内袋を設けるようにしたことを特徴とする請求項１又は２に記載のフレキシブルコンテナバッグ。
【発明の詳細な説明】
【技術分野】
【０００１】
本発明は、粉粒体や廃棄物等の荷物を保管・運搬する際に用いられるフレキシブルコンテナバッグに関し、特に、硬化性材料の収納、運搬及び養生、並びに該硬化性材料を硬化させてブロックを製作するために用いられるフレキシブルコンテナバッグに関するものである。
【背景技術】
【０００２】
従来、粉粒体や廃棄物等の荷物を保管・運搬する際に、例えば、円筒型のフレキシブルコンテナバッグが使用されている（特許文献１参照）。
【先行技術文献】
【特許文献】
【０００３】
【特許文献１】特開２０１４−１５９３０５号公報
【０００４】
上記の特許文献１に記載されている従来のフレキシブルコンテナバッグは、円筒状のバッグ本体と、バッグ本体の上端側に縫着される円筒状の投入部とを備え、投入部を通してバッグ本体内に荷物を充填し、充填し終えたら、投入部の上部を巾着袋のように縛って閉じることにより、荷物を収納したバッグ本体を密閉するように構成されている。
【発明の概要】
【発明が解決しようとする課題】
【０００５】
しかしながら、上記従来のフレキシブルコンテナバッグでは、バッグ本体が円筒状であるため、荷物を収容した状態での形状が一定せず、並べて設置したときのデッドスペースが多くなり、収容効率が悪いという問題があった。
また、バッグ本体を密閉する際には、投入部の上部を巾着袋のように縛って閉じるようにしているため、密閉性が悪く、また、上面の形状が局部的に突出した形状となり、別のフレキシブルコンテナバッグを載せた重ねた際に、重ねたフレキシブルコンテナバッグが傾いてしまって不安定となり、積み重ねて保管することが困難であった。
【０００６】
本発明は、上記従来のフレキシブルコンテナバッグの有する問題点に鑑み、収容効率を高めることができるとともに、密閉性が高く、かつ積み重ねて保管することが容易なフレキシブルコンテナバッグを提供することを目的とする。
【課題を解決するための手段】
【０００７】
上記目的を達成するため、本発明のフレキシブルコンテナバッグは、隣接する側面部が直角を成す有底角型に形成し、上面が開口した収納容器本体と、該収納容器本体に被せることで開口を塞ぐ被せ形状の蓋体とからなることを特徴とする。
【０００８】
この場合において、前記蓋体を収納容器本体に固定するための固定手段を設けることができる。
【０００９】
また、前記収納容器本体及び蓋体が、織布からなり、内部に合成樹脂製の内袋を設けることができる。
【発明の効果】
【００１０】
本発明のフレキシブルコンテナバッグによれば、収納容器本体が角に丸みのない有底角型とされるので、廃棄物等の荷物を収納した状態での形状が一定し、並べて設置したときのデッドスペースが少なくなり、収容効率を高めることができる。
また、収納容器本体に被せることで開口を塞ぐ被せ形状の蓋体が設けられるので、密閉性を高めることができるとともに、蓋体の上面に別のフレキシブルコンテナバッグを載せても安定し、積み重ねて保管することが容易となる。
【００１１】
また、前記蓋体を収納容器本体に固定するための固定手段を設けることにより、密閉性をより高めることができる。
【００１２】
また、前記収納容器本体及び蓋体が、織布からなり、内部に合成樹脂製の内袋を設けることにより、軽量で折りたたみが容易であり、必要な強度を容易に確保できるとともに、防水機能を持たせることができる。
【図面の簡単な説明】
【００１３】
【図１】本発明の一実施形態に係るフレキシブルコンテナバッグの分解斜視図である。
【図２】同フレキシブルコンテナバッグが設置される型枠を示し、（ａ）は平面図、（ｂ）は正面図である。
【図３】同フレキシブルコンテナバッグの収納容器本体を型枠に設置する手順説明図である。
【図４】同フレキシブルコンテナバッグの収納容器本体を容器固定具及び容器固定補助具で型枠に固定する手順説明図である。
【図５】型枠に中蓋を装着する手順説明図である。
【図６】固定設置した２つの側壁に対し他の２つの側壁を開放した状態図である。
【図７】同フレキシブルコンテナバッグの収納容器本体を蓋体で封緘・密封した状態図である。
【発明を実施するための形態】
【００１４】
次に、本発明のフレキシブルコンテナバッグの実施の形態を、図面に基づいて説明する。
【００１５】
図１に、本発明のフレキシブルコンテナバッグの一実施例を示す。
【００１６】
＜フレキシブルコンテナバッグの概略説明＞
図１に示されるように、本実施形態のフレキシブルコンテナバッグ１は、可撓性シート材を用いて上面が開口した袋状に形成してなる収納容器本体２と、収納容器本体２に被せることで開口を塞ぐ被せ形状の蓋体３と、収納容器本体２と蓋体３との間に配されて内蓋として機能する封緘シート材４とを備えている。
【００１７】
＜収納容器本体の説明＞
収納容器本体２は、正方形状（長方形状の場合もある。）の底面部５と、底面部５の四辺に一体的に連設される４つの側面部６とを有し、隣接する側面部６が直角を成すように一体的に連設されて横断面正方形状（横断面長方形状の場合もある。）の角型に形成されている。
この収納容器本体２は、例えば、ポリプロピレン織布等の化学繊維織布からなる外袋２ａと、例えば、ポリエチレンシート等の樹脂シートからなる内袋２ｂとが重ね合わされてなる二重構造とされており、軽量で折りたたみが容易であり、必要な強度を容易に確保できるとともに、防水機能を持たせることができる。
なお、外袋２ａと内袋２ｂとの固定方法は、例えば、両面粘着テープを用いた粘着により固定する方法や、面ファスナーを用いて係脱自在に固定する方法、糸により縫い合わせて固定（縫着）する方法などが挙げられる。
【００１８】
後述するように、収納容器本体２は、後述する型枠２０の収容部３５の内部に入れ込むことで型枠２０の内部に設置されるが、このとき後述する底床材２５及び４つの側壁３１〜３４にぴったりと接触した状態で収容部３５内に納まるように、底面部５や４つの側面部６の形状寸法が設定されている。
また、内袋２ｂは、その上部を折り返して外袋２ａの上部の外側に重ね合わせることができるように、外袋２ａよりも上方に所定高さ分だけ突出した高さ寸法に設定されている。
【００１９】
収納容器本体２には、例えば、フォークリフトやクレーン等の荷役機械に装備された図示されない専用吊り具が掛け止められる所要の吊り上げ用ベルト７が底面部５から各側面部６に亘って縫着されている。
収納容器本体２における４つの角部のそれぞれには、本体固定用ベルト８が縫着されている。
本体固定用ベルト８は、収納容器本体２を後述する型枠２０に固定するためのものであって、収納容器本体２の上下方向中間位置に配設されている。
【００２０】
＜蓋体の説明＞
蓋体３は、例えば、ポリプロピレン織布等の化学繊維織布からなり、収納容器本体２の上端部をすっぽり覆うような形状に形成されている。
すなわち、蓋体３は、収納容器本体２の開口を塞ぐことができる大きさの平面視正方形状（平面視長方形状の場合もある。）で、かつ上面が水平面状の天板部１０と、収納容器本体２における４つの側面部６の上部に外側から重ね合わせることができるように天板部１０の四辺に一体的に連設される４つの側面部１１とを有し、隣接する側面部１１が直角を成すように一体的に連設されて横断面正方形状（横断面長方形状の場合もある。）の角型に形成されている。
この蓋体３を収納容器本体２の開口を塞ぐように被せると、収納容器本体２の開口が蓋体３の天板部１０によって覆われ、収納容器本体２における４つの側面部６の上部に、蓋体３の４つの側面部１１が外側から重ね合わされるので、密閉性を高めることができ、雨等の浸入を確実に防ぐことができる。
また、上面が水平面状の天板部１０の採用により、蓋体３の上面が水平面状に形成されるので、蓋体３の上面に別のフレキシブルコンテナバッグ１を載せても安定することになる。
【００２１】
＜蓋体の固定手段の説明＞
蓋体３を収納容器本体２に固定するための固定手段１５は、蓋体３における４つの角部のそれぞれに縫着される蓋体固定用テープ１６と、収納容器本体２における４つの角部のそれぞれに縫着される蓋体固定用フック１７とにより構成されている。
蓋体固定用テープ１６は、蓋体３の下部に配設され、蓋体固定用フック１７は、収納容器本体２の上下方向中間位置から下部寄りの位置に配設されている。
この固定手段１５においては、収納容器本体２の上部に蓋体３を被せた状態で、蓋体固定用テープ１６を蓋体固定用フック１７に掛け止めるように係合させて緊縛することにより、蓋体３を収納容器本体２に固定することができ、密閉性をより高めることができる。
【００２２】
本実施形態のフレキシブルコンテナバッグ１は、硬化性材料の収納、運搬及び養生、並びに該硬化性材料を硬化させて六面体形状のブロックを製作するために用いられる。
なお、本実施形態で示したフレキシブルコンテナバッグ１の適用例に限定されるものではなく、粉粒体や廃棄物等の荷物を保管・運搬する用途にフレキシブルコンテナバッグ１を適用することも勿論可能である。
【００２３】
六面体形状のブロックを製作する際には、別途用意した図２（ａ）及び（ｂ）に示されるような型枠２０が用いられ、この型枠２０の内部に収納容器本体２を設置し、設置した収納容器本体２の内部に硬化性材料を充填して硬化させることで六面体形状のブロックを製作する。
ここで、硬化性材料としては、例えば、放射性物質を含む焼却灰等とセメントミルクとを混練した混練物を使用するが、勿論これに限定されるものではなく、セメントミルクに砂、砂利、小石、砕石等の骨材を適当な割合で混練した普通コンクリートや、発泡スチロールやプラスチック等の樹脂を使用する場合もある。
【００２４】
次に、図２（ａ）及び（ｂ）を用いて、収納容器本体２が設置される型枠２０の構造について説明する。
【００２５】
＜型枠の概略説明＞
図２（ａ）及び（ｂ）に示される型枠２０は、図示されないフォークリフトで持ち上げて運搬できるように荷役用の爪（フォーク）が差し込まれる差込口を有する底床材２５と、底床材２５上に設置される第１側壁３１、第２側壁３２、第３側壁３３及び第４側壁３４とを備え、全体の外観が上部を開放した六面体形状に形成されている。
【００２６】
４つの側壁３１〜３４は、平面視で正方形枠状（長方形枠状の場合もある）に組み立てられ、これら４つの側壁３１〜３４と底床材２５とによって収容部３５が区画形成されている。
４つの側壁３１〜３４のうちの２つの隣接する第１側壁３１及び第２側壁３２は、底床材２５に対し固定的に設置され、他の２つの側壁３３、３４、つまり第３側壁３３及び第４側壁３４は、底床材２５に対し可動的に設置されている。
【００２７】
各側壁３１〜３４は、壁面を構成する側壁面材４０と、該側壁面材４０の外面に必要段（本例では上下２段）をもって水平状態で取り付けられる横端太材４１とにより構成されている。
互いに隣接する側壁面材４０同士は、図示されないボルト及びナット、並びに適宜に用いられるＵクリップによって締結・固定されている。
【００２８】
第３側壁３３の横端太材４１は、第２側壁３２の横端太材４１に対し枢支ピン４５を支点として回動自在となっており、これによって固定的に設置される第２側壁３２に対し第３側壁３３が揺動可能に取り付けられる。
また、第４側壁３４の横端太材４１は、第１側壁３１の横端太材４１に対し枢支ピン４６を支点として回動自在となっており、これによって固定的に設置される第１側壁３１に対し第４側壁３４が揺動可能に取り付けられる。
【００２９】
第３側壁３３の横端太材４１と第４側壁３４の横端太材４１とは、両者に係脱自在に架け渡されるスイングボルトを主体に構成される締結具５０によって締結されており、第３側壁３３と第４側壁３４との接合部分の分離及び再接合を締結具５０の操作で容易に行うことができるようになっている。
【００３０】
＜容器固定具の説明＞
図２（ａ）に示されるように、４つの側壁３１〜３４における各々の側壁面材４０の近傍には、図示されないチェーンやワイヤロープ等で繋がれた容器固定具５１が添設されている。
容器固定具５１は、側壁面材４０と収納容器本体２の上縁部とに跨るように両者に被せることが可能な溝形鋼材からなるものである。
ここで、本実施例においては、容器固定具５１を４つの側壁３１〜３４における各々の側壁面材４０の中央位置に設置するようにしたが、容器固定具５１と収納容器本体２に縫着されている吊り上げ用ベルト７とが干渉しないように、例えば、容器固定具５１を側壁面材４０の中央位置を避けてその両側の２箇所に設置するようにすることもできる。
【００３１】
＜容器固定補助具の説明＞
図２（ａ）に示されるように、互いに隣接する側壁面材４０の交わりの角部の上面側には、容器固定補助具５５が取り付けられている。
容器固定補助具５５は、互いに隣接する側壁面材４０の片側の上面に固着される嵩上板５６と、嵩上板５６上に固着される引っ掛け棒５７とにより構成されている。
引っ掛け棒５７は、互いに隣接する側壁面材４０の互いの突き合せ部分の上方位置において、当該突き合せ部分に形成されたテーパ面と平面視で直交する方向に延びる棒状部材からなるものである。
【００３２】
＜ブロックの製作手順の説明＞
次に、フレキシブルコンテナバッグ１と型枠２０とを用いてブロックを製作する手順について、主に図２〜図５を用いて以下に説明する。
【００３３】
まず、ブロックを製作するに際しては、図２（ａ）及び（ｂ）に示されるように、第３側壁３３の横端太材４１と第４側壁３４の横端太材４１とを締結具５０によって締結して、型枠２０を使用可能な状態に組み立てる。
また、図３に示されるように、別途用意した鋼製中蓋６０を型枠２０に添設しておく。
【００３４】
次いで、上記のようにして組み立てられた型枠２０の収容部３５の内部に収納容器本体２を入れ込む。
このとき、予め収納容器本体２における内袋２ｂの上部を外袋２ａの外側に折り返しておき、型枠２０の底床材２５及び４つの側壁３１〜３４に対して、収納容器本体２の底面部５及び４つの側面部６をぴったりと接触させるようにして収納容器本体２を型枠２０の収容部３５内に納める。
【００３５】
次いで、図４に示されるように、収納容器本体２の四隅に設けられた４本の本体固定用ベルト８のそれぞれを、対応する容器固定補助具５５の引っ掛け棒５７に引っ掛けて緊縛・固定する。
これにより、収納容器本体２の角部が収容部３５の角部にぴったりと合った状態に保たれる。
また、各側壁面材４０に添設された容器固定具５１を、対応する側壁面材４０と内袋２ｂの上部が折り返された状態の収納容器本体２の上縁部とを挟み込むように、側壁面材４０と収納容器本体２の上縁部とに跨るように装着する。
これにより、収納容器本体２の各側面部６が側壁面材４０にぴったりと接触した状態に保たれる。
【００３６】
上記のようにして、収納容器本体２を型枠２０の内部に設置したら、設置した収納容器本体２の内部に硬化性材料を充填する。
充填し終えたら、図５に示されるように、収容部３５の開口を塞ぐように鋼製中蓋６０を型枠２０に装着する。この場合、鋼製中蓋６０は、必要に応じて使用すればよく、この工程を省略することもできる。
そして、フォークリフト等を用いて型枠２０を養生ヤードへと運び、所定の養生期間を設けて硬化させ、六面体形状のブロックを製作する。この場合、養生ヤードには、必要に応じて、養生ラックを設置し、養生ラックの所定位置に型枠２０を格納して養生を行うようにすることもできる。
【００３７】
＜ブロックの取り出し作業手順の説明＞
以上のようにして製作したブロックを型枠２０から取り出す作業の手順は以下の通りである。
なお、当該作業は、型枠２０に装着された鋼製中蓋６０及び容器固定具５１を取り外した後に行われる。
【００３８】
まず、締結具５０を操作して、第３側壁３３の横端太材４１と第４側壁３４の横端太材４１との締結状態を解除し、両横端太材４１を分離可能な状態とする。
また、第３側壁３３の側壁面材４０と第４側壁３４の側壁面材４０とを締結しているボルト及びナット、並びにＵクリップを外して、両側壁面材４０を分離可能な状態とする。
また、必要に応じて、第２側壁３２の側壁面材４０と第３側壁３３の側壁面材４０とを締結しているボルト及びナット、並びにＵクリップを外す、あるいは緩めるとともに、第１側壁３１の側壁面材４０と第４側壁３４の側壁面材４０とを締結しているボルト及びナット、並びにＵクリップを外す、あるいは緩めておく。
【００３９】
次いで、図６に示されるように、第２側壁３２の横端太材４１に対し枢支ピン４５を支点として第３側壁３３の横端太材４１を型枠２０の外側に回動させるように操作して第３側壁３３を開くとともに、第１側壁３１の横端太材４１に対し枢支ピン４６を支点として第４側壁３４の横端太材４１を型枠２０の外側に回動させるように操作して第４側壁３４を開いて、第３側壁３３と第４側壁３４とを分離し、２つの側壁３３、３４を開放する。
これにより、ブロックを収容している収納容器本体２と型枠２０との密着状態が解消される。
【００４０】
次いで、例えば、フォークリフトやクレーン等の荷役機械に装着された専用吊り具に、収納容器本体２の吊り上げ用ベルト７（図１参照）を引っ掛け、フォークリフトの操作により、ブロックを収納している収納容器本体２を引き上げて型枠２０から抜き取り、抜き取った収納容器本体２を一旦地上に降ろす。
【００４１】
次いで、外袋２ａの外側に折り返していた内袋２ｂの上部を、収納しているブロックの上面を覆うように被せ、適宜に粘着テープを用いて仮止めし、その上に封緘シート材４（図１参照）を貼り付けて内袋２ｂを密封する。
【００４２】
そして、図７に示されるように、収納容器本体２の上部に帽子状（被せ形状）の蓋体３を被せ、蓋体３に取り付けられた蓋体固定用テープ１６を、収納容器本体２に取り付けられた蓋体固定用フック１７に掛け止めるように係合させて緊縛することにより、収納容器本体２に被せた蓋体３を固定して、外袋２ａを封緘・密封する。
【００４３】
こうして、ブロックを収納した収納容器本体２を蓋体３によって封緘・密封した状態のフレキシブルコンテナバッグ１は、任意の搬出先に搬出したり、直ちに搬出できない場合は任意の保管場所で保管する。
【００４４】
保管場所での保管に際しては、保管場所内に順次に搬入されるブロック入りフレキシブルコンテナバッグ１を、必要に応じて、互いの側面部６が接触するように縦横に規則正しく並べて設置するとともに、既に設置されたフレキシブルコンテナバッグ１の蓋体３の上面に別のフレキシブルコンテナバッグ１を載せて積み重ねることができる。
【００４５】
＜作用効果の説明＞
ブロック入りフレキシブルコンテナバッグ１は、正六面体形状で一定しており、保管場所等において並べて設置したときのデッドスペースが少なくなり、収容効率を高めることができる。
また、既に設置されたブロック入りフレキシブルコンテナバッグ１の蓋体３の上面に別のブロック入りフレキシブルコンテナバッグ１を載せても安定するため、ブロック入りフレキシブルコンテナバッグ１を積み重ねて保管することが容易となる。
【００４６】
以上、本発明のフレキシブルコンテナバッグについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００４７】
本発明のフレキシブルコンテナバッグは、収容効率を高めることができるとともに、密閉性が高く、かつ積み重ねて保管することが容易であるという特性を有していることから、粉粒体や廃棄物等の荷物を保管・運搬の用途に好適に用いることができるほか、硬化性材料の収納、運搬及び養生、並びに該硬化性材料を硬化させて六面体形状のブロックを製作する用途にも用いることができ、産業上の利用可能性が大である。
【符号の説明】
【００４８】
１  フレキシブルコンテナバッグ
２  収納容器本体
２ａ  外袋
２ｂ  内袋
３  蓋体
４  封緘シート材
５  底面部
６  側面部
１５  固定手段
２０  型枠
【図１】
2019196203.tif 000003
【図２】
2019196203.tif 000004
【図３】
2019196203.tif 000005
【図４】
2019196203.tif 000006
【図５】
2019196203.tif 000007
【図６】
2019196203.tif 000008
【図７】
2019196203.tif 000009